【事件の表示】
　特願２００１−　５４５７９号「カラーフィルタ用感放射線性組成物の製造方法」拒絶査定不服審判事件〔平成１４年　９月１１日出願公開、特開２００２−２５８０２７号〕について、次のとおり審決する。
【結　論】
　本件審判の請求は、成り立たない。
【理　由】
１．手続の経緯及び本願発明
　本願は、平成１３年２月２８日の出願であって、平成２２年７月２８日付けで手続補正がなされ、平成２３年４月２５日付けで拒絶査定がなされ、これに対して同年８月５日に拒絶査定不服審判の請求がなされ、同時に手続補正がなされたものである。その後、前置報告書の内容について審判請求人の意見を求めるために、平成２４年３月２日付けで審尋がなされたが、請求人からの回答書の提出はなかった。
　本願の特許請求の範囲の請求項１ないし５に係る発明は、平成２３年８月５日付けの手続補正により補正された明細書の特許請求の範囲の請求項１ないし５に記載されたとおりのものと認められるところ、その請求項１に記載された発明（以下「本願発明」という。）は次のとおりのものである。
　
「（Ａ）Ｃ．Ｉ．ピグメントグリーン３６とＣ．Ｉ．ピグメントイエロー１５０とを含む顔料、（Ｂ）アルカリ可溶性樹脂、（Ｃ）多官能性単量体、（Ｄ）光重合開始剤並びに（Ｅ）溶媒を含有するカラーフィルタ用感放射線性組成物の製造方法であって、（Ａ）顔料を予め（Ｂ）アルカリ可溶性樹脂の一部または全部が（Ｅ）溶媒の一部または全部に溶解してなる溶液中に分散させ、得られた顔料分散液を、（Ｃ）多官能性単量体および（Ｄ）光重合開始剤と共に、（Ａ）顔料の分散時に（Ｂ）アルカリ可溶性樹脂の一部を使用したときは（Ｂ）アルカリ可溶性樹脂の残部を添加し、また（Ａ）顔料の分散時に（Ｅ）溶媒の一部を使用したときは（Ｅ）溶媒の残部を添加して、混合することを特徴とするカラーフィルタ用感放射線性組成物の製造方法。」
　
２．引用例
　原査定の拒絶の理由に引用された本願の出願前に頒布された刊行物である特開２０００−１５４２０７号公報（以下「引用例」という。）には、以下の技術事項が記載されている。（後述する引用発明の認定に関連する箇所に下線を付した。）
　
記載事項ア．
「【０００１】
【発明の属する技術分野】本発明は、カラーフィルター用光重合性組成物に関する。更に詳しくは、液晶表示装置、色分解装置等に用いられ、耐スクラッチ性に優れたカラーフィルター用光重合性組成物に関する。」
　
記載事項イ．
「【００６３】
【実施例】以下、本発明の実施例を示すが、本発明はこれらに限定されるものではない。尚、
以下の「部」は特に規定のないかぎり「重量部」を表す。
実施例１
　メチルメタクリレート／メタクリル酸共重合体（８０／２０ｗｔ比、重量平均分子量２００００）　　　　　　　　　　　　　　　　　　　　　　　　４０部
　Ｃ．Ｉ．Ｐｉｇｍｅｎｔ　Ｒｅｄ　１７１　　　　　　　　　４０部
　シクロヘキサノン　　　　　　　　　　　　　　　　　　　　６０部
を混合し３本ロールミルで混練した。得られた混練物に、
　プロピレングリコールモノメチルエーテルアセテート　　　　５０部
を加えて、サンドグラインダーで分散した。分散後、孔径５μｍのフィルターで粗大粒子を濾過し、カラーフィルター用の赤色顔料分散物とした。
【００６４】この顔料分散物を用いて、以下の成分を調合してカラーフィルター用光重合性組成物を得た。
　赤色顔料分散物　　　　　　　　　　　　　　　　　　　　１３０部
　メチルメタクリレート／メタクリル酸共重合体（８０／２０重量比、重量平均分子量２００００）　　　　　　　　　　　　　　　　　　　　　　　　３６部
　ジペンタエリスリトールヘキサアクリレート　　　　　　　　４０部
　［（２−ヒドロキシ−４−アクリロイルオキシメチル）シクロヘキシル］アクリレート／メチルメタクリレート／アクリル酸共重合体（１５／８０／５ｗｔ比）（重量平均分子量：１×１０４、酸価：２５ｍｇＫＯＨ／ｇ）
　　　　　　　　　　　　　　　　　　　　　　　　　　　　　　５部
　４−［ｏ−ブロモ−ｐ−Ｎ，Ｎ−ジ（エトキシカルボニル）アミノフェニル］２，６−ジ（トリクロロメチル）−ｓ−トリアジン　　　　　　　　　　　３部
　ハイドロキノンモノメチルエーテル　　　　　　　　　　０．０１部
　プロピレングリコールモノメチルエーテルアセテート　　　２００部
【００６５】この組成物をカラーフィルター用のガラス基板にスピンコーターで塗布し、１００℃で２分間乾燥させたところ赤色の均一な塗膜が得られた。更に２．５Ｋｗの超高圧水銀灯を使用してマスクを介して１００ｍＪ／ｃｍ２の露光を行い、０．２５％炭酸ナトリウム水溶液に浸漬することでマスクパターン通りの画像を得た。この画像について下記のような引っ掻きテストを行い、耐スクラッチ性を評価した。耐スクラッチ性は１５０ｇ／ｃｍ２であり、良好であった。
〔引っ掻きテスト〕測定装置としてスクラッチング　インテンシティ　テスター（ＨＥＩＤＯＮ−１８、新東科学製）を用い、針先端直径：０．３ｍｍで、掃引速度：５０ｍｍ／ｓｅｃにて、上記で得られたカラーフィルターの画像部を針で引っ掻き、傷がガラス基板まで到達して基板が完全に露出するときの荷重を決定した。」
　
記載事項ウ．
「【００６７】
実施例２
　
メチルメタクリレート／メタクリル酸共重合体（８０／２０ｗｔ比、重量平均分子量２００００）
３０部
　
Ｃ．Ｉ．Ｐｉｇｍｅｎｔ　Ｇｒｅｅｎ　３６
３０部
　
シクロヘキサノン
３７部
を混合し３本ロールミルで混練した。得られた混練物に、
　
プロピレングリコールモノメチルエーテルアセテート
４４部
を加えて、サンドグラインダーで分散した。分散後、孔径５μｍのフィルターで粗大粒子を濾過し、カラーフィルター用の緑色顔料分散物とした。
【００６８】
次に、
　
メチルメタクリレート／メタクリル酸共重合体（８０／２０ｗｔ比、重量平均分子量２００００）
１０部
　
Ｃ．Ｉ．Ｐｉｇｍｅｎｔ　Ｙｅｌｌｏｗ　８３
１０部
　
シクロヘキサノン
１６部
を混合し３本ロールミルで混練した。得られた混練物に、
　
プロピレングリコールモノメチルエーテルアセテート
１３部
を加えて、サンドグラインダーで分散し、孔径５μｍのフィルターで粗大粒子を濾過することでカラーフィルター用の黄色顔料分散物を得た。
【００６９】
これら二種類の顔料分散物と以下の成分を調合することでカラーフィルター用光重合性組成物を得た。
　
緑色顔料分散物
１２５部
　
黄色顔料分散物
８部
　
メチルメタクリレート／メタクリル酸共重合体（８０／２０重量比、重量平均分子量２００００）
２４部
　
ジペンタエリスリトールヘキサアクリレート
３５部
　
［（２−ヒドロキシ−４−アクリロイルオキシメチル）シクロヘキシル］アクリレート／メチルメタクリレート／アクリル酸共重合体（１５／８０／５ｗｔ比）（重量平均分子量：８．５×１０
３
、酸価：１２ｍｇＫＯＨ／ｇ）
　　　　　　　　　　　　　　　　　　　　　　　　　　　　　　
５部
　
４−［ｏ−ブロモ−ｐ−Ｎ，Ｎ−ジ（エトキシカルボニル）アミノフェニル］２，６−ジ（トリクロロメチル）−ｓ−トリアジン
３部
　
ハイドロキノンモノメチルエーテル
０．０１部
　
プロピレングリコールモノメチルエーテルアセテート
２００部
　この組成物に実施例１と同様の処理を施しマスクパターン通りの画像を得た。実施例１と同様に引っ掻きテストを行うと１３６ｇ／ｃｍ２であり、耐スクラッチ性は良好であった。」
　
　記載事項ア．〜ウ．の記載内容からして、引用例には、
「メチルメタクリレート／メタクリル酸共重合体（８０／２０ｗｔ比、重量平均分子量２００００） ３０重量部、Ｃ．Ｉ．Ｐｉｇｍｅｎｔ　Ｇｒｅｅｎ　３６　３０重量部、シクロヘキサノン　３７重量部を混練し、得られた混練物に、プロピレングリコールモノメチルエーテルアセテート　４４重量部を加えて分散し、分散後、孔径５μｍのフィルターで粗大粒子を濾過し、カラーフィルター用の緑色顔料分散物とし、次に、メチルメタクリレート／メタクリル酸共重合体（８０／２０ｗｔ比、重量平均分子量２００００）　１０重量部、Ｃ．Ｉ．Ｐｉｇｍｅｎｔ　Ｙｅｌｌｏｗ　８３　１０重量部、シクロヘキサノン　１６重量部を混練し、得られた混練物に、プロピレングリコールモノメチルエーテルアセテート　１３重量部を加えて分散し、孔径５μｍのフィルターで粗大粒子を濾過することでカラーフィルター用の黄色顔料分散物を得た後、緑色顔料分散物　１２５重量部、黄色顔料分散物　８重量部、メチルメタクリレート／メタクリル酸共重合体（８０／２０重量比、重量平均分子量２００００）　２４重量部、ジペンタエリスリトールヘキサアクリレート　３５重量部、［（２−ヒドロキシ−４−アクリロイルオキシメチル）シクロヘキシル］アクリレート／メチルメタクリレート／アクリル酸共重合体（１５／８０／５ｗｔ比）（重量平均分子量：８．５×１０３、酸価：１２ｍｇＫＯＨ／ｇ）　５重量部、４−［ｏ−ブロモ−ｐ−Ｎ，Ｎ−ジ（エトキシカルボニル）アミノフェニル］２，６−ジ（トリクロロメチル）−ｓ−トリアジン　３重量部、ハイドロキノンモノメチルエーテル　０．０１重量部、プロピレングリコールモノメチルエーテルアセテート　２００重量部を調合することでカラーフィルター用光重合性組成物を得る方法。」
の発明（以下「引用発明」という。）が記載されているといえる。
　
３．対比
　本願発明と引用発明を対比する。
（ａ）引用発明の「カラーフィルター用光重合性組成物を得る方法」は、本願発明の「カラーフィルタ用感放射線性組成物の製造方法」に相当する。
　
（ｂ）引用発明の「緑色顔料分散物」に用いられる「Ｃ．Ｉ．Ｐｉｇｍｅｎｔ　Ｇｒｅｅｎ　３６」、「メチルメタクリレート／メタクリル酸共重合体（８０／２０ｗｔ比、重量平均分子量２００００）」、「シクロヘキサノン」及び「プロピレングリコールモノメチルエーテルアセテート」は、それぞれ本願発明の「（Ａ）Ｃ．Ｉ．ピグメントグリーン３６」、「（Ｂ）アルカリ可溶性樹脂」、「（Ｅ）溶媒」に相当し、また、引用発明の「緑色顔料分散物」に用いられる「メチルメタクリレート／メタクリル酸共重合体」は、カラーフィルター用光重合性組成物全体に用いられている「メチルメタクリレート／メタクリル酸共重合体」の一部を成すものであり、引用発明の「緑色顔料分散物」に用いられる「シクロヘキサノン」及び「プロピレングリコールモノメチルエーテルアセテート」も同様に、カラーフィルター用光重合性組成物全体に用いられている「シクロヘキサノン」及び「プロピレングリコールモノメチルエーテルアセテート」からなる溶媒の一部を成すものであるから、引用発明の「メチルメタクリレート／メタクリル酸共重合体（８０／２０ｗｔ比、重量平均分子量２００００） ３０重量部、Ｃ．Ｉ．Ｐｉｇｍｅｎｔ　Ｇｒｅｅｎ　３６　３０重量部、シクロヘキサノン　３７重量部を混練し、得られた混練物に、プロピレングリコールモノメチルエーテルアセテート　４４重量部を加えて分散し、分散後、孔径５μｍのフィルターで粗大粒子を濾過し」た「カラーフィルター用の緑色顔料分散物」は、本願発明の「（Ａ）顔料を予め（Ｂ）アルカリ可溶性樹脂の一部が（Ｅ）溶媒の一部に溶解してなる溶液中に分散させ、得られた顔料分散液」に相当するといえる。
　また、引用発明の「黄色顔料分散物」に用いられる「メチルメタクリレート／メタクリル酸共重合体（８０／２０ｗｔ比、重量平均分子量２００００）」、「シクロヘキサノン」及び「プロピレングリコールモノメチルエーテルアセテート」は、それぞれ本願発明の「（Ｂ）アルカリ可溶性樹脂」、「（Ｅ）溶媒」に相当し、また、引用発明の「Ｃ．Ｉ．Ｐｉｇｍｅｎｔ　Ｙｅｌｌｏｗ　８３」と本願発明の「Ｃ．Ｉ．ピグメントイエロー１５０」とは「黄色顔料」である点で共通する。そして、引用発明の「黄色顔料分散物」に用いられる「メチルメタクリレート／メタクリル酸共重合体」は、カラーフィルター用光重合性組成物全体に用いられている「メチルメタクリレート／メタクリル酸共重合体」の一部を成すものであり、引用発明の「黄色顔料分散物」に用いられる「シクロヘキサノン」及び「プロピレングリコールモノメチルエーテルアセテート」も同様に、カラーフィルター用光重合性組成物全体に用いられている「シクロヘキサノン」及び「プロピレングリコールモノメチルエーテルアセテート」からなる溶媒の一部を成すものであるから、引用発明の「メチルメタクリレート／メタクリル酸共重合体（８０／２０ｗｔ比、重量平均分子量２００００）　１０重量部、Ｃ．Ｉ．Ｐｉｇｍｅｎｔ　Ｙｅｌｌｏｗ　８３　１０重量部、シクロヘキサノン　１６重量部を混練し、得られた混練物に、プロピレングリコールモノメチルエーテルアセテート　１３重量部を加えて分散し、孔径５μｍのフィルターで粗大粒子を濾過」した「カラーフィルター用の黄色顔料分散物」は、本願発明の「（Ａ）顔料を予め（Ｂ）アルカリ可溶性樹脂の一部が（Ｅ）溶媒の一部に溶解してなる溶液中に分散させ、得られた顔料分散液」に相当するといえる。
　
（ｃ）引用発明の「緑色顔料分散物」及び「黄色顔料分散物」は、それぞれ「メチルメタクリレート／メタクリル酸共重合体（８０／２０重量比、重量平均分子量２００００）」を含有しているのであるから、引用発明の「カラーフィルター用光重合性組成物」を調合する際に用いられる「メチルメタクリレート／メタクリル酸共重合体（８０／２０重量比、重量平均分子量２００００）」は、本願発明の「（Ａ）顔料の分散時に（Ｂ）アルカリ可溶性樹脂の一部を使用したとき」に「添加」される「（Ｂ）アルカリ可溶性樹脂の残部」に相当するといえる。
　また、引用発明の「緑色顔料分散物」及び「黄色顔料分散物」は、それぞれ「シクロヘキサノン」及び「プロピレングリコールモノメチルエーテルアセテート」を含有しているのであるから、引用発明の「カラーフィルター用光重合性組成物」を調合する際に用いられる「プロピレングリコールモノメチルエーテルアセテート」は、本願発明の「（Ａ）顔料の分散時に（Ｅ）溶媒の一部を使用したとき」に「添加」される「（Ｅ）溶媒の残部」に相当するといえる。
　
（ｄ）引用発明の「カラーフィルター用光重合性組成物」の調合成分である「ジペンタエリスリトールヘキサアクリレート」、「４−［ｏ−ブロモ−ｐ−Ｎ，Ｎ−ジ（エトキシカルボニル）アミノフェニル］２，６−ジ（トリクロロメチル）−ｓ−トリアジン」は、それぞれ本願発明の「（Ｃ）多官能性単量体」、「（Ｄ）光重合開始剤」に相当する。
　
（ｅ）上記（ｂ）〜（ｄ）に記載したことからして、引用発明のカラーフィルター用光重合性組成物を得るために「緑色顔料分散物　１２５重量部、黄色顔料分散物　８重量部、メチルメタクリレート／メタクリル酸共重合体（８０／２０重量比、重量平均分子量２００００）　２４重量部、ジペンタエリスリトールヘキサアクリレート　３５重量部、［（２−ヒドロキシ−４−アクリロイルオキシメチル）シクロヘキシル］アクリレート／メチルメタクリレート／アクリル酸共重合体（１５／８０／５ｗｔ比）（重量平均分子量：８．５×１０３、酸価：１２ｍｇＫＯＨ／ｇ）　５重量部、４−［ｏ−ブロモ−ｐ−Ｎ，Ｎ−ジ（エトキシカルボニル）アミノフェニル］２，６−ジ（トリクロロメチル）−ｓ−トリアジン　３重量部、ハイドロキノンモノメチルエーテル　０．０１重量部、プロピレングリコールモノメチルエーテルアセテート　２００重量部を調合すること」は、本願発明の「（Ａ）顔料を予め（Ｂ）アルカリ可溶性樹脂の一部が（Ｅ）溶媒の一部に溶解してなる溶液中に分散させ、得られた顔料分散液を、（Ｃ）多官能性単量体および（Ｄ）光重合開始剤と共に、（Ａ）顔料の分散時に（Ｂ）アルカリ可溶性樹脂の一部を使用したときは（Ｂ）アルカリ可溶性樹脂の残部を添加し、また（Ａ）顔料の分散時に（Ｅ）溶媒の一部を使用したときは（Ｅ）溶媒の残部を添加して、混合すること」に相当するといえる。
　
　上記（ａ）〜（ｅ）で述べたことからして、本願発明と引用発明とは、
「（Ａ）Ｃ．Ｉ．ピグメントグリーン３６と黄色顔料とを含む顔料、（Ｂ）アルカリ可溶性樹脂、（Ｃ）多官能性単量体、（Ｄ）光重合開始剤並びに（Ｅ）溶媒を含有するカラーフィルタ用感放射線性組成物の製造方法であって、（Ａ）顔料を予め（Ｂ）アルカリ可溶性樹脂の一部が（Ｅ）溶媒の一部に溶解してなる溶液中に分散させ、得られた顔料分散液を、（Ｃ）多官能性単量体および（Ｄ）光重合開始剤と共に、（Ａ）顔料の分散時に（Ｂ）アルカリ可溶性樹脂の一部を使用したときは（Ｂ）アルカリ可溶性樹脂の残部を添加し、また（Ａ）顔料の分散時に（Ｅ）溶媒の一部を使用したときは（Ｅ）溶媒の残部を添加して、混合するカラーフィルタ用感放射線性組成物の製造方法。」
である点で一致し、次の点で相違する。
　
［相違点］
　Ｃ．Ｉ．ピグメントグリーン３６と共に用いる黄色顔料が、本願発明は、Ｃ．Ｉ．ピグメントイエロー１５０であるのに対して、引用発明は、Ｃ．Ｉ．ピグメントイエロー８３である点。
　
４．当審の判断
　上記相違点について検討する。
　
　カラーフィルター製造の際にＣ．Ｉ．ピグメントグリーン３６と共に用いる黄色顔料を、いかなる黄色顔料とするかはカラーフィルターの色特性等に応じて当業者が適宜選択し得る事項であるし、カラーフィルター製造の際にＣ．Ｉ．ピグメントグリーン３６と共にＣ．Ｉ．ピグメントイエロー１５０を用いることは、例えば、特開平１１−１４８２５号公報（【００３９】〜【００４２】、【００４９】〜【００５０】等参照）、特開平１０−１６０９２８号公報（【００６５】〜【００６８】等参照）、特開平１１−２０９６３１号公報（【０１０２】〜【０１０５】等参照）、特開平２００１−２１７１３号公報（【００７７】等参照）にも記載されているように周知技術であるから、引用発明に上記周知技術を採用して、上記相違点に係る本願発明の発明特定事項を得ることは、当業者であれば容易になし得ることである。
　また、本願明細書の発明の詳細な説明には、Ｃ．Ｉ．ピグメントグリーン３６と共に用いる黄色顔料としてＣ．Ｉ．ピグメントイエロー１５０以外の黄色顔料を用いた比較例等の記載は何等ないから、本願明細書の発明の詳細な説明の記載を参酌しても本願発明の効果が格別のものとは認め難い。
　
  したがって、本願発明は、引用発明及び周知技術に基いて当業者が容易に発明をすることができたものである。
　
５．むすび
　以上のとおり、本願発明は、引用発明及び周知技術に基いて当業者が容易に発明をすることができたものであるから、特許法第２９条第２項の規定により特許を受けることができない。
　よって、結論のとおり審決する。